(57)【要約】【課題】折り畳み可能であり、太陽エネルギー又は人工光を電気エネルギーに変換する調節可能な太陽エネルギー発電装置の提供。【解決手段】太陽エネルギー又は人工光を６〜１２ｖ以上の電気エネルギーに変換する少なくとも２つの光起電力セルを含む。直接エネルギーを供給するか、又は所望の特定電圧に変換された電気エネルギーを要求に応じてレギュレータを介して供給するために、通常の接続ソケットのシステムを取り付けられる。光起電力セルは、四辺形に似た、弓形の負荷に耐えることのできる部材の片側に設けられる。これらの部材は、単一の固定ピボット点において相互接続される。この部材のこの接続点は、部材の回転軸を構成する。デバイスの動作中の部材の相互位置は、太陽エネルギー又は人工光の収集のために椀形状である。部材の回転軸は、ピボットによって回転ヨークに接続され、伸縮自在の三脚の脚に取り付けられる。【選択図】図２
2009290214.tif 000002
【特許請求の範囲】
【請求項１】
太陽エネルギー又は人工光を電気エネルギーに変換するための、調節可能な太陽エネルギー発電装置であって、安定化基体に位置付けられた多結晶シリコン又は単結晶シリコンから作られた光起電力セルを含む太陽エネルギー発電装置において、
前記太陽エネルギー発電装置は、平坦で可動の片側のみの部材から作られており、前記部材の各々は、片側に取り付けられた光起電力セルを有し、前記部材は、ヨーク及び留め金によって一端において互いに接続され、前記ヨーク及びピボットは三脚に接続されることを特徴とする、調節可能な太陽エネルギー発電装置。
【請求項２】
前記平坦な部材の長さが、伸縮自在な前記三脚の脚の一番外側の管部分の長さを超えないことを特徴とする、請求項１に記載された調節可能な太陽エネルギー発電装置。
【請求項３】
デバイスの動作中の前記平坦な部材の相互の配置が、反転傘に似た扇状の椀形状であることを特徴とする、請求項１に記載された調節可能な太陽エネルギー発電装置。
【請求項４】
平坦で可動の部材の光起電力セルからなるシステムが、太陽エネルギー又は人工光から、直接エネルギーを供給するか、又は所望の特定の電圧に変換された電気エネルギーを要求に応じてレギュレータを介して供給するために、通常の接続ソケットのシステムを取り付けられていることを特徴とする、請求項１に記載された調節可能な太陽エネルギー発電装置。
【発明の詳細な説明】
【技術分野】
【０００１】
本発明は、太陽エネルギー又は人工光を電気エネルギーに変換する、調節可能な太陽エネルギー発電装置に係るものである。このような太陽エネルギー発電装置は、小さな可動性の折り畳み可能ユニットとして構成されているか又は大きな固定基体ユニットとして構成されているかどうかに応じて、各種の所望の特定の電圧を維持するのに十分な電気エネルギーを変換することができる。
【発明の概要】
【課題を解決するための手段】
【０００２】
この太陽エネルギー発電装置の光起電力セルは、結晶性シリコン又は多結晶シリコンなどの太陽光起電力材料により作られるパネルを含む（それらに限定はされない）。これらのパネルは、並列又は直列に結合され、パネルを適切な角度に向けるための又は傾斜させるための支持構造体、ヨーク、及びピボットを含む。
【０００３】
調節可能な太陽エネルギー発電装置の光起電力セルは、四辺形に似た、平坦な堅い負荷に耐えることのできる部材の片側に設けられる。これらの部材は、部材のより短いほうの縁部の１つの近くに位置する単一の固定ピボット点において互いに接続される。光起電力セルの設けられた部材のこの接続点は、これらの部材の回転軸を構成する。作動中の平坦な部材相互の配置は、太陽エネルギー又は人工光エネルギーの収集のために最適な角度を有する扇状の椀形状である。部材の回転軸は、ピボットによって回転ヨークに接続され、回転ヨークは、任意の平坦な基盤若しくは平坦でない地形上で調節可能なソーラー・セルのスタンドを構成する伸縮自在な若しくは固定の三脚の脚に取り付けられる。それは、移動の間はリュックサックにさえ取り付けられる。
【０００４】
光起電力セルの負荷に耐えられる部材の長さは、伸縮自在な脚の一番外側の管部分の長さを超えてはならない。その長さのために、四辺形又は楕円円筒形状の小さな平坦な筐体内に調節可能な太陽エネルギー発電装置を簡単に配置することが容易になり、運搬がかなり簡単になり、小さなリュックサック又はコンピュータ携帯用ケース内でさえ多くの空間を占有しない。
【０００５】
可動の平坦な部材の各々には、面の外側領域のほぼ全体に沿って光起電力セルが設置される。通常な接続ソケットシステムを取り付けられ、連結して接続された６〜１２ｖ（ボルト）の可動の平坦な各部材の光起電力セルは、直接エネルギーを供給することができる。セルの作動が完了すると、折り畳むことができ、保管が容易な小さい長方体を形成する。伸縮自在な三脚スタンドは、折り畳まれると、非常にわずかの空間しか占有しない。
【０００６】
電力ネットワークの電源に接続することができない状況では、調節可能な太陽エネルギー発電装置は、セルを有する平坦な部材を人工光線の近くで広げて人工光線に向けるように、伸縮自在なマストを使用して組み立てることができ、それによって直接電力を提供する。
【０００７】
調節可能な太陽エネルギー発電装置は、ステンレス鋼、アルミニウム及びＰＶＣなどの様々な軽量合金で作ることができるが、それらには限定されない。太陽エネルギー発電装置は、使用されるときは、椀形状又は反転傘状四辺形に似ている。これらの部材は、単一の固定ピボット点において互いに連結される。光起電力セルを設けられた部材のこの接続点は、部材の回転軸を構成する。デバイスの動作中の弓形部材の相互位置は、太陽エネルギー又は人工光の収集のために椀形状である。部材の回転軸は、ピボットによって回転ヨークに接続され、それは、伸縮自在な三脚の脚に取り付けられる。また、太陽エネルギー発電装置は、もっと大きく作ることもでき、固定することもできる。
【図面の簡単な説明】
【０００８】
【図１】扇部が部分的に開いた太陽エネルギー発電装置を示す図。
【図２】扇部が完全に開いた太陽エネルギー発電装置を示す図。
【実施例】
【０００９】
本発明の構成は、図１及び図２に示されている。
【００１０】
調節可能な太陽エネルギー発電装置は、扇状構造に重ねるように配置された平坦な部材１を備える。片側だけの光起電力セル２は、平坦な部材の各々に位置付けられる。ソーラー・セルを含む平坦な部材１はすべて、その一端において留め金２を用いて相互に接続される。調節可能な太陽エネルギー発電装置は、可動ピボットによって、伸縮自在なスタンド２、及びそこで安定化基体の端部から延びる伸縮自在な脚部の各々に接続される。
【００１１】
図で示されるように、符号１０は、開示される実施例の全体的な構造を例示する。符号１２は光起電力セルを示し、符号１４は扇部を示し、符号１５はヨークを示し、符号１６はピボットを示し、符号１７はコードを示し、符号１８は三脚の脚を示す。
【００１２】
調節可能な太陽エネルギー発電装置光起電力セル１２は、四辺形に似た平坦で堅い負荷に耐えることのできる部材１４の片側に設けられる。これらの部材１４は、部材の短いほうの縁部の１つの近くに位置する単一の固定ピボット点１６において相互に接続される。光起電力セル１２を設けられる部材１４のこの接続点は、これらの部材の回転軸を構成する。作動中の平坦な部材１４の相互の配置により、太陽光又は人工光の収集のために最適な角度を有する扇状の椀形状が形成される。部材の回転軸は、ピボット１６によって回転ヨーク１５に接続され、伸縮自在な又は固定の三脚の脚１８に取り付けられる。この脚１８により、ソーラー・セルは、任意の平坦な基盤若しくは平坦でない地面上で立つことができ、移動の間はリュックサック上でさえ立つことが可能になる。
【符号の説明】
【００１３】
１０  全体構造
１２  光起電力セル
１４  扇部
１５  ヨーク
１６  ピボット
１７  コード
１８  三脚の脚
【図１】
2009290214.tif 000003
【図２】
2009290214.tif 000004